(57)【要約】【課題】情報端末の位置、曜日・時間・線区・目的などの利用条件に基づいて、列車運行状況等の情報を各ユーザに対して効果的に提供する。【解決手段】運行管理情報表示装置１０は、対象列車が運行される路線に設けられている駅位置を記憶している駅テーブル７０３と、表示装置３０から運行情報表示要求とともに受信する当該表示装置の位置を示す表示装置位置情報と駅テーブル３０の情報とを比較して表示装置３０がいずれの駅にあるかを特定する抽出条件設定処理部６０１と、鉄道事業者の列車運行管理装置から受信する運行中の列車位置を示す列車位置情報と、表示装置３０があると特定された駅位置とを比較して当該駅付近に在線している列車を表示対象列車として抽出する表示対象列車抽出処理部６０２と、前記特定された駅を含む路線図と抽出された表示対象列車とを含む表示画面データを生成して表示装置３０に送出する画面表示処理部６０３とを備えている。【選択図】図１
2016130085.tif 000002
【特許請求の範囲】
【請求項１】
列車の運行状況を表示するための表示装置と通信可能に接続されている運行管理情報表示装置であって、
対象列車が運行される路線に設けられている施設の位置を示す施設位置情報を記憶している施設位置情報記憶部と、
前記表示装置から運行情報表示要求とともに受信する当該表示装置の位置を示す情報である表示装置位置情報と前記施設位置情報とを比較して前記表示装置がいずれの施設にあるかを特定する抽出条件設定処理部と、
鉄道事業者の列車運行管理装置から受信する運行中の列車位置を示す情報である列車位置情報と、前記表示装置があると特定された施設についての前記施設位置情報とを比較して前記施設付近に在線している列車を表示対象列車として抽出する表示対象列車抽出処理部と、
前記特定された施設を含む路線図と抽出された前記表示対象列車とを含む表示画面データを生成して前記表示装置に送出する画面表示処理部とを備えている、
運行管理情報表示装置。
【請求項２】
請求項１に記載の運行管理情報表示装置であって、
前記鉄道事業者の職員の所属、役割、勤務パターンの少なくともいずれかを含む使用者の属性情報を記憶するユーザ情報記憶部を備え、
前記抽出条件設定処理部は、前記表示装置から前記運行情報表示要求とともに受信する当該表示装置のユーザを特定する情報に基づいて当該ユーザの属性情報を前記ユーザ情報記憶部から取得して、前記表示装置がいずれの施設にあるかを特定する情報を補正する、運行管理情報表示装置。
【請求項３】
請求項１に記載の運行管理情報表示装置であって、
各ユーザごとに前記表示装置によって表示された画面情報を、表示した時間帯、および表示した施設の情報に関連付けて記憶する学習記憶部を備え、
前記抽出条件設定処理部は、前記表示装置のユーザを特定する情報により前記学習記憶部を検索し、前記条件に合致する画面情報があると判定した場合、当該画面情報を優先的に表示すべき情報である優先情報として記憶し、前記表示装置がいずれの施設にあるかを特定する情報と、前記時間帯および前記表示した施設とにより前記優先情報を検索して、該当数優先情報があった場合当該優先情報を前記画面表示処理部に通知する、運行管理情報表示装置。
【請求項４】
請求項３に記載の運行管理情報表示装置であって、
前記抽出条件設定処理部は、前記表示装置のユーザを特定する情報により前記学習記憶部を検索し、前記条件に合致する画面情報がないと判定した場合、該当ユーザ以外のユーザについて記録されている当該画面情報を優先的に表示すべき情報である優先情報として記憶し、前記表示装置がいずれの施設にあるかを特定する情報と、前記時間帯および前記表示した施設とにより前記優先情報を検索して、該当数優先情報があった場合当該優先情報を前記画面表示処理部に通知する、運行管理情報表示装置。
【請求項５】
請求項１に記載の運行管理情報表示装置であって、
前記表示装置に表示された画面情報が利用された施設を特定する情報と、鉄道事業者の運行管理装置から取得する当該表示時に発生した事象に関する事象情報とを関連付けて記憶する統計情報記憶部を備え、
前記抽出条件設定処理部は、前記表示装置から運行状況表示要求を受けた際の時間帯、当該表示装置がある施設を特定する情報により前記統計情報記憶部を検索し、該当する画面情報があると判定した場合、当該画面情報を優先情報として利用する、運行管理情報表
示装置。
【請求項６】
請求項５に記載の運行管理情報表示装置であって、
各ユーザが実際に表示装置によって表示させた画面の情報である実績画面情報を記憶しており、前記実績画面情報に関連付けられている表示列車対象情報と当該実績画面情報により表示した表示内容により前記優先情報を検索し、対応する優先情報があると判定した場合、当該優先情報の優先順位を上げる処理を実行する、運行管理情報表示装置。
【請求項７】
請求項３に記載の運行管理情報表示装置であって、
前記ユーザが前記表示装置により運行情報を表示させた場合、当該ユーザを特定する情報と関連付けて当該ユーザが表示させた画面情報を前記学習記憶部に記憶させる、運行管理情報表示システム。
【請求項８】
請求項１に記載の運行管理情報表示装置であって、
前記画面表示処理部は、表示対象列車について前記表示装置の表示画面において当該表示対象列車を視覚的に強調する処理を施す、運行管理情報表示システム。
【請求項９】
請求項１に記載の運行管理情報表示装置であって、
前記鉄道事業者の職員の所属、役割、勤務パターンの少なくともいずれかを含む使用者の属性情報を記憶するユーザ情報記憶部を備え、
前記抽出条件設定処理部は、前記表示装置から前記運行情報表示要求とともに受信する当該表示装置のユーザを特定する情報に基づいて当該ユーザの属性情報を前記ユーザ情報記憶部から取得して、前記表示装置がいずれの施設にあるかを特定する情報を補正し、
各ユーザごとに前記表示装置によって表示された画面情報を、表示した時間帯、および表示した施設の情報に関連付けて記憶する学習記憶部を備え、
前記抽出条件設定処理部は、前記表示装置のユーザを特定する情報により前記学習記憶部を検索し、前記条件に合致する画面情報があると判定した場合、当該画面情報を優先的に表示すべき情報である優先情報として記憶し、前記表示装置がいずれの施設にあるかを特定する情報と、前記時間帯および前記表示した施設とにより前記優先情報を検索して、該当数優先情報があった場合当該優先情報を前記画面表示処理部に通知し、
前記抽出条件設定処理部は、前記表示装置のユーザを特定する情報により前記学習記憶部を検索し、前記条件に合致する画面情報がないと判定した場合、該当ユーザ以外のユーザについて記録されている当該画面情報を優先的に表示すべき情報である優先情報として記憶し、前記表示装置がいずれの施設にあるかを特定する情報と、前記時間帯および前記表示した施設とにより前記優先情報を検索して、該当数優先情報があった場合当該優先情報を前記画面表示処理部に通知し、
前記表示装置に表示された画面情報が利用された施設を特定する情報と、鉄道事業者の運行管理装置から取得する当該表示時に発生した事象に関する事象情報とを関連付けて記憶する統計情報記憶部を備え、
前記抽出条件設定処理部は、前記表示装置から運行状況表示要求を受けた際の時間帯、当該表示装置がある施設を特定する情報により前記統計情報記憶部を検索し、該当する画面情報があると判定した場合、当該画面情報を優先情報として利用し、
各ユーザが実際に表示装置によって表示させた画面の情報である実績画面情報を記憶しており、前記実績画面情報に関連付けられている表示列車対象情報と当該実績画面情報により表示した表示内容により前記優先情報を検索し、対応する優先情報があると判定した場合、当該優先情報の優先順位を上げる処理を実行し、
前記ユーザが前記表示装置により運行情報を表示させた場合、当該ユーザを特定する情報と関連付けて当該ユーザが表示させた画面情報を前記学習記憶部に記憶させ、
前記画面表示処理部は、表示対象列車について前記表示装置の表示画面において当該表示対象列車を視覚的に強調する処理を施す、運行管理情報表示装置。
【請求項１０】
列車の運行状況を表示するための表示装置と、当該表示装置と通信可能に接続されている処理装置とを有する運行管理情報表示システムであって、
前記処理装置は、
対象列車が運行される路線に設けられている施設の位置を示す施設位置情報を記憶している施設位置情報記憶部と、
前記表示装置から運行情報表示要求とともに受信する当該表示装置の位置を示す情報である表示装置位置情報と前記施設位置情報とを比較して前記表示装置がいずれの施設にあるかを特定する抽出条件設定処理部と、
鉄道事業者の列車運行管理装置から受信する運行中の列車位置を示す情報である列車位置情報と、前記表示装置があると特定された施設についての前記施設位置情報とを比較して前記施設付近に在線している列車を表示対象列車として抽出する表示対象列車抽出処理部と、
前記特定された施設を含む路線図と抽出された前記表示対象列車とを含む表示画面データを生成して前記表示装置に送出する画面表示処理部とを備えている、
運行管理情報表示システム。
【請求項１１】
列車の運行状況を表示するための表示装置と、当該表示装置と通信可能に接続されている処理装置とによって実行される運行管理情報表示方法であって、画面表示処理部
前記処理装置が、
対象列車が運行される路線に設けられている施設の位置を示す施設位置情報を記憶し、
前記表示装置から運行情報表示要求とともに受信する当該表示装置の位置を示す情報である表示装置位置情報と前記施設位置情報とを比較して前記表示装置がいずれの施設にあるかを特定し、
鉄道事業者の列車運行管理装置から受信する運行中の列車位置を示す情報である列車位置情報と、前記表示装置があると特定された施設についての前記施設位置情報とを比較して前記施設付近に在線している列車を表示対象列車として抽出し、
前記特定された施設を含む路線図と抽出された前記表示対象列車とを含む表示画面データを生成して前記表示装置に送出する、
運行管理情報表示方法。
【発明の詳細な説明】
【技術分野】
【０００１】
本発明は、運行管理情報表示装置、運行管理情報表示システム、および運行管理情報表示方法に関する。
【背景技術】
【０００２】
鉄道等における列車の運行管理システムで扱う情報を端末画面に表示する技術、例えば列車の運行管理と旅客案内を目的として、列車の在線位置・列車番号・行先・遅延時分・列車の種別・車両数・列車の形式、信号の開通状態などを画面に表示する技術が種々提案されている。このような技術を活用したシステムとして、運行情報表示装置（Traffic Information Display, TID)などが挙げられる。本願発明では、運行管理システムで扱う情
報を、乗務員、駅務員等の職員や一般利用者が所持するスマートフォン、タブレット等のモバイル端末の画面に表示するシステムを「運行管理情報表示システム」と定義する。これに関連する技術として、例えば特許文献１が挙げられる。特許文献１には、「線区を跨いだ列車に関する情報をどの部署からでも容易に検索して表示することができるようにし、また運行状況の変更の伝達及び書き換えも可能であり、更には現場における状況把握を適切且つ即時に指令所等で行うことのできる列車の運行情報システム及び通信システムを提供」することを目的として、例えば「各線区ごとの列車運行管理装置が保有する列車運行関連情報を蓄積して統合することにより、各線区ごとの列車運行管理装置からは分離された線区を跨いだ情報を統合的に管理するデータベースとし、該データベースに対して各種のコンテンツの情報提供サーバ及び入力装置を接続してなり、該入力装置は前記情報提供サーバを通じてデータベース及び列車運行管理装置の内容の変更を書き換えることのできるものである列車の運行情報システム」が開示されている。特許文献１の構成によれば、例えば複数の線区をまたいで運行される列車の運行状況について、いずれの線区内の駅からでも情報を得ることができるとされている（例えば段落００２６）。
【先行技術文献】
【特許文献】
【０００３】
【特許文献１】特開２００４−３３８５２０号公報
【発明の概要】
【発明が解決しようとする課題】
【０００４】
しかし、特許文献１では、列車に関する情報を取得して表示させる端末装置の所在や検索実行時の条件などが考慮されていない。そのため、列車遅延等の異常時など迅速な対応を求められる場合に、運行管理システムの扱う膨大なデータから、ユーザが求める最適な情報を瞬時に抽出することが困難であった。また、実際に端末表示を実行した場合の表示結果に関するフィードバックを得ることができないため、過去の実績データを基に抽出条件を改善するといった対応を取ることができない問題もあった。
【０００５】
そこで本願発明では、情報端末の位置、あるいは曜日・時間・線区・目的などの利用条件に基づいて、列車運行状況等の情報を各ユーザに対して効果的に表示することができる運行管理情報表示装置、運行管理情報表示システム、および運行管理情報表示方法を提供することを一つの目的としている。
【課題を解決するための手段】
【０００６】
上記の目的を達成する本願発明の一態様は、列車の運行状況を表示するための表示装置と通信可能に接続されている運行管理情報表示装置であって、対象列車が運行される路線
に設けられている施設の位置を示す施設位置情報を記憶している施設位置情報記憶部と、前記表示装置から運行情報表示要求とともに受信する当該表示装置の位置を示す情報である表示装置位置情報と前記施設位置情報とを比較して前記表示装置がいずれの施設にあるかを特定する抽出条件設定処理部と、鉄道事業者の列車運行管理装置から受信する運行中の列車位置を示す情報である列車位置情報と、前記表示装置があると特定された施設についての前記施設位置情報とを比較して前記施設付近に在線している列車を表示対象列車として抽出する表示対象列車抽出処理部と、前記特定された施設を含む路線図と抽出された前記表示対象列車とを含む表示画面データを生成して前記表示装置に送出する画面表示処理部とを備えている。
【発明の効果】
【０００７】
本発明によれば、情報端末の位置、あるいは曜日・時間・線区・目的などの利用条件に基づいて、列車運行状況等の情報を各ユーザに対して効果的に表示することができる運行管理情報表示装置、運行管理情報表示システム、および運行管理情報表示方法を提供することができる。
【図面の簡単な説明】
【０００８】
【図１】本発明の一実施形態による運行管理情報表示システム１のハードウェア構成図の例である。
【図２】運行管理情報表示システム１が備える表示装置位置テーブル７０１の構成例を示す図である。
【図３】運行管理情報表示システム１が備える在線列車位置テーブル７０２の構成例を示す図である。
【図４】運行管理情報表示システム１が備える駅テーブル７０３の構成例を示す図である。
【図５】運行管理情報表示システム１が備える表示駅候補一時記憶テーブル７０４の構成例を示す図である。
【図６】運行管理情報表示システム１が備えるユーザ情報テーブル７０５の構成例を示す図である。
【図７】運行管理情報表示システム１が備えるユーザ情報一時記憶テーブル７０６の構成例を示す図である。
【図８】運行管理情報表示システム１が備える学習テーブル７０７の構成例を示す図である。
【図９】運行管理情報表示システム１が備える優先情報一時記憶テーブル７０８の構成例を示す図である。
【図１０】運行管理情報表示システム１が備える統計情報テーブル７０９の構成例を示す図である。
【図１１】運行管理情報表示システム１が備える表示対象範囲一時記憶テーブル７１０の構成例を示す図である。
【図１２】運行管理情報表示システム１が備える表示対象列車一時記憶テーブル７１１の構成例を示す図である。
【図１３】運行管理情報表示システム１が備える優先表示情報一時記憶テーブル７１２の構成例を示す図である。
【図１４】運行管理情報表示システム１が備える案内履歴一時記憶テーブル７１３の構成例を示す図である。
【図１５】運行管理情報表示システム１が備える表示履歴一時記憶テーブル７１４の構成例を示す図である。
【図１６】運行管理情報表示システム１の全体処理フローの例を示す図である。
【図１７】運行管理情報表示システム１の抽出条件設定処理フローの例を示す図である。
【図１８】運行管理情報表示システム１の表示対象列車抽出処理フローの例を示す図である。
【図１９】運行管理情報表示システム１の学習ログ登録処理フローの例を示す図である。
【図２０】表示装置３０の表示画面例を示す図である。
【発明を実施するための形態】
【０００９】
以下、図面を用いて本発明につきその実施の形態に即して説明する。図１に、本実施形態による運行管理情報表示システム１のハードウェア構成図の例を示している。運行管理情報表示システム１は、処理装置１０（運行管理情報表示装置）、通信ネットワーク２０、及び表示装置３０を有する。表示装置３０は、処理装置１０で生成した運行管理情報表示システム画面を表示するための装置であり、ユーザは、表示装置３０により運行管理情報表示システム画面を確認することができる。表示装置３０は、例えばスマートフォン、タブレット端末等のモバイル機器の形態をとることができる。処理装置１０は、表示装置３０からの検索要求を処理して運行管理情報表示システム画面情報として要求元の表示装置３０に返す機能を有する。処理装置１０は、例えば鉄道事業者の情報処理施設等に設置される。なお、図１では、簡単のために処理装置１０、表示装置３０をそれぞれ１台ずつ示しているが、処理装置１０および表示装置３０は、それぞれ複数台で構成することも可能である。また、処理装置１０と表示装置３０とを、同一装置として構成することも可能である。通信ネットワーク２０は、処理装置１０と表示装置３０との間のデータ送受信を可能とする通信回線であり、専用線、インターネット等の適宜の通信ネットワークとして構成される。
【００１０】
処理装置１０は、一般的なコンピュータとして構成されており、プログラムを実行してデータ処理演算を行うＣＰＵ（Central Processing Unit）等のプロセッサ１００、プロ
グラム及び実行用データ等の一時記憶領域としてＲＡＭ（Random Access Memory）、ＲＯＭ（Read Only Memory）等の記憶デバイスにより構成されるメモリ１１０、プログラム及びプログラムが使用するテーブル類を格納しているＨＤＤ（Hard Disk Drive）等の記憶
デバイス等で構成される記憶部１２０、メモリ１１０に読み出されたプログラムがプロセッサ１００により実行されることで実現されるデータ処理機能ブロックである処理部１３０、表示装置３０からの検索・表示要求を受信する通信インタフェース及びキーボード、タッチパネル、音声認識デバイス等を備えて構成される入力部１４０、後述するデータ処理によって生成された画面表示データを通信ネットワーク２０へ送出する表示インタフェース部１５０、表示装置３０から検索・表示要求とともに送信される表示装置３０の位置を示す情報である表示端末位置情報を受信する表示端末位置情報受信部１６０、及び鉄道事業者等ののＣＴＣ（Centralized Traffic Control）中央司令室等に設置されている列
車運行管理装置４０から運行されている列車位置の情報を受信する列車位置情報受信部１７０を備えている。
【００１１】
前記のように、表示装置３０の位置は、当該表示装置３０（以下「端末」ともいう。）に搭載されているＧＰＳ装置などから取得される。表示端末位置情報受信部１６０は、処理部１３０を介して、記憶部１２０へ表示装置３０の位置情報を送信する。表示端末位置情報受信部１６０から記憶部１２０へ送信される位置情報は、後述の表示装置位置テーブル７０１に格納される。
【００１２】
列車位置情報受信部１７０は、記憶部１２０へ、本発明のシステム１が適用されている鉄道事業者等に設置されている列車運行管理装置４０から送信された列車の現在位置および信号の開通状態、あるいは車上に設置されたＧＰＳ装置などから送信された列車の現在位置を受信する。列車位置情報受信部１７０から記憶部１２０へ送信される列車位置情報は、後述の在線列車位置テーブル７０２に格納される。
【００１３】
処理部１３０は、抽出条件設定処理部６０１、表示対象列車抽出処理部６０２、画面表示処理部６０３、及び学習ログ登録処理部６０４を有する。前記のように、これらの機能ブロックは例えば記憶部１２０に格納されている各機能を実現するためのプログラムをプロセッサ１００がメモリ１１０に読み出して実行することにより実現される。抽出条件設定処理部６０１は、表示装置３０から取得されるユーザの位置や属性情報などから表示対象列車の抽出条件を設定する機能を有する。表示対象列車抽出処理部６０２は、表示対象列車から優先的に表示する列車を抽出する機能を有する。画面表示処理部６０３は、運行管理情報表示システム１の表示画面を描画するための画面データを生成する機能を有する。学習ログ登録処理部６０４は、ユーザの好む情報やその情報が選択される条件を登録する機能を有する。これらの機能ブロックにより実行されるデータ処理については、処理フロー例を用いて後述する。
【００１４】
記憶部１２０には、本システム１のデータ処理に利用されるデータテーブルとして、表示装置位置テーブル７０１、在線列車位置テーブル７０２、駅テーブル７０３（施設位置情報記憶部）、表示駅候補一時記憶テーブル７０４、ユーザ情報テーブル７０５（ユーザ情報記憶部）、ユーザ情報一時記憶テーブル７０６、学習テーブル７０７（学習記憶部）、優先情報一時記憶テーブル７０８、統計情報テーブル７０９（統計情報記憶部）、表示対象範囲一時記憶テーブル７１０、表示対象列車一時記憶テーブル７１１、優先表示情報一時記憶テーブル７１２、案内履歴一時記憶テーブル７１３、および表示履歴一時記憶テーブル７１４が格納されている。これらのテーブルは、処理装置１０の運用開始前に設定しておき、運用中表示装置３０、列車運行管理装置４０からのデータ入力によりデータが格納されていく。
【００１５】
以下に、各テーブルのデータ構造および格納データの例を示す。図２は、表示装置位置テーブル７０１の構成例である。表示装置位置テーブル７０１には、表示端末位置情報受信部１６０から受信されたデータを基に、表示端末位置情報が格納される。表示装置位置テーブル７０１は、対応する各データを格納した日時を示す情報取得日付、曜日、および情報取得時刻、対応するデータの送信元である表示装置３０に紐付けられているユーザＩＤ、ＧＰＳ装置等の測定結果に基づく表示装置３０の所在位置を示す緯度・経度のデータ項目を有する。
【００１６】
図３は、在線列車位置テーブル７０２の構成例である。在線列車位置テーブル７０２には、列車位置情報受信部１７０から送信されたデータを基に、運行中の列車位置情報が格納される。在線列車位置テーブル７０２には、列車の運行線区、表示画面における表示領域を示す固有符号である窓番号、各列車固有に付与されているＩＤである列車番号、対応する列車の遅れを示す遅延時分、対応する列車の在線位置を示す軌道回路を固有符号で示す軌道回路１、軌道回路２、列車の車上装置の所在位置を示す緯度・経度、列車の在線位置を線区の起点からの距離で示すキロ程、および対応列車の進行方向を上下の別で示す進行方向のデータ項目を有する。軌道回路が２種類格納されているのは、１の列車が複数の軌道回路にまたがって在線している場合があるためである。なお、列車位置がＧＰＳ装置などにより絶対位置として計測される場合には、軌道回路の項目に代えて緯度・経度データが格納される。
【００１７】
図４は駅テーブル７０３の構成例である。駅テーブル７０３には、該当駅が属する線区、その線区名、該当駅の固有符号である駅コード、駅名、該当駅のいずれのホームであるかを示すホーム、当該ホームに入線する列車の上下の別で示す進行方向、および前記ホーム上における緯度・経度のデータ項目を有する。緯度・経度のデータが２組あるのは、通常数百ｍといった長い構造物であるホームについて代表的な位置を記録することにより表示装置３０の所在位置とのマッチング精度を高めるためである。なお、ホームの項目は、
具体的には列車が着発する番線によって示している。これは例えば島式ホームであれば向かい合う上下線を番線で区別して記録するためである。このようなユーザの表示装置３０の位置は、駅ホームに設置されている無線通信のアクセスポイントの情報などを補足することによってさらに精度を高めることができる。
【００１８】
図５は表示駅候補一時記憶テーブル７０４の構成例である。表示駅候補一時記憶テーブル７０４は、表示装置３０からの要求に基づいて表示する候補となる駅を一時的に記憶するテーブルであり、該当駅が属する線区、駅名、該当駅のホーム（番線）、該当ホームの進行方向のデータ項目を有する。
【００１９】
図６はユーザ情報テーブル７０５の構成例である。ユーザ情報テーブル７０５には、検索・表示要求の送信元である表示装置３０を使用しているユーザの属性値およびシフト表などから得た勤務パターンなどの情報が事前に登録される。ユーザ情報テーブル７０５は、該当するユーザの固有符号であるユーザＩＤ、該当ユーザの年齢、性別、所属、勤務パターン、および役割のデータ項目を有する。図６の「勤務パターン」の項目はシフト情報や乗務員運用情報から得られる勤務のパターンを指し、表示装置３０の所在位置の精度を高めるために使用される。勤務パターンによりある日時にあるユーザが駅のどの場所（ホーム、番線）にいるかを推定することができるからである。「役割」の項目は、同様にシフト情報や乗務員運用情報から得られる、運転士・車掌・駅案内などのユーザの勤務上の役割を示しており、表示装置３０の所在位置の精度を高めるために使用される。
【００２０】
図７はユーザ情報一時記憶テーブル７０６の構成例である。ユーザ情報一時記憶テーブル７０６は、ユーザＩＤに対応づけて、当該ユーザの所属、勤務パターン、役割、年齢、および性別のデータ項目を有する。このユーザＩＤが検索・表示要求の要求元装置のユーザであることを示している。
【００２１】
図８は学習テーブル７０７の構成例である。この学習テーブル７０７は、後述する処理装置１０の抽出条件設定処理Ｓ２（図１７）における履歴判定処理Ｓ１０４、履歴あり時の優先情報設定処理Ｓ１０５、履歴なし時の優先情報設定処理Ｓ１０６、および学習ログ登録処理Ｓ５の学習ログ登録処理Ｓ５０８（図１９）で利用される。学習テーブル７０７には、ユーザＩＤに対応づけて、該当ユーザが過去に実行した検索・表示要求に関する曜日、時間帯、線区、利用駅、ホーム、勤務パターン、役割、利用機能１、利用機能２、利用回数１、利用回数２のデータ項目が記録される。図８の例における「利用機能」の項目は、ユーザが実際に案内もしくは利用した機能を示し、処理装置１０に保持されているシステムログなどから取得する。図８の例では、利用機能１は、運行管理情報表示システム１の画面で表示した線区(エリア)の履歴（図８の先頭レコードではＸ線Ａ駅の列車運行表示画面）を示し、利用機能２は、利用した個別機能の表示履歴（図８の先頭レコードでは、下り方面特急列車を対象とした検索）を示す。具体的には、利用機能はユーザが表示装置３０の表示画面に表示させた画面情報データのＩＤとして特定することができる。学習テーブル７０７は、ユーザの好みの情報をシステムが自動的に学習し、ユーザにとって優先度の高い情報を抽出する条件を改善するために利用される。
【００２２】
図９は優先情報一時記憶テーブル７０８の構成例であり、後述する抽出条件設定処理Ｓ２（図１７）の履歴あり時の優先情報設定処理Ｓ１０５、履歴なし時の優先情報設定処理Ｓ１０６、事象あり時の優先情報設定処理Ｓ１０８、表示対象範囲設定処理Ｓ１０９、および表示対象列車抽出処理Ｓ３（図１８）の優先表示情報抽出処理Ｓ２０７で利用される。優先情報一時記憶テーブル７０８は、ユーザＩＤに対応づけて、該当ユーザが過去に実行した検索・表示要求に関する曜日、時間帯、線区、駅名、ホーム、利用機能、利用回数、発生線区・発生線路、発生区間、方面、発生理由、および遅延のデータ項目を有する。図９の優先情報一時記憶テーブル７０８では、ある利用機能の利用回数が多いほどそのレ
コードの優先度が高いとして上位（より上側の行）に格納される。
【００２３】
図１０は統計情報テーブル７０９の構成例であり、後述する抽出条件設定処理Ｓ２（図１７）の事象あり時の優先情報設定処理Ｓ１０８、および学習ログ登録処理Ｓ６（図１９）の統計情報登録処理Ｓ５０７で利用される。統計情報テーブル７０９には、過去に発生した列車遅延等の事象について、発生した曜日、時間帯、発生線区・発生線路、発生区間、方面、発生理由、遅延、影響線区、影響駅、そのときユーザが利用した利用機能、利用駅、ホーム、勤務パターン、および役割のデータ項目が、当該事象に関する統計的な情報として記録されている。図１０における「影響線区」は台風や事故などの事象によって遅延などの影響を受けた線区を示し、「影響駅」は前記事象発生時に同様の影響を受けた駅を示している。
【００２４】
図１１は表示対象範囲一時記憶テーブル７１０の構成例であり、後述する抽出条件設定処理Ｓ２（図１７）の表示対象範囲設定処理Ｓ１０９で利用される。表示対象範囲一時記憶テーブル７１０には、表示装置３０に関する情報としてのユーザＩＤ、曜日、時間帯、利用機能に対応づけて、表示対象範囲（運行管理情報に含まれる路線情報のうち、表示装置３０の画面に表示すべき範囲）が表示開始位置の座標（Ｘ，Ｙ）によって記録される。
【００２５】
図１２は表示対象列車一時記憶テーブル７１１の構成例であり、後述する表示対象列車抽出処理Ｓ３（図１８）の表示対象列車抽出処理Ｓ２０６、および優先表示情報抽出処理Ｓ２０７で利用される。表示対象列車一時記憶テーブル７１１には、表示対象として抽出された列車に関する情報として、線区、窓番号、列車番号、遅延時分、軌道回路１、軌道回路２、緯度、経度、キロ程、および進行方向のデータ項目が記録される。ここで緯度・経度のデータは、列車が在線する軌道回路の路線上の位置から算出される列車の位置を代表するデータである。
【００２６】
図１３は優先表示情報一時記憶テーブル７１２の構成例であり、後述する表示対象列車抽出処理Ｓ３（図１８）の優先表示情報抽出処理Ｓ２０７、表示データ作成処理Ｓ３、および学習ログ登録処理Ｓ６（図１９）の優先表示情報利用判定処理Ｓ５０４、優先表示情報利用あり時の優先表示情報抽出条件更新処理Ｓ５０５で利用する。優先表示情報一時記憶テーブル７１２は、検索・表示要求元である表示装置３０の位置、および過去の検索履歴などを考慮した優先表示情報を格納する。図１３の優先表示情報一時記憶テーブル７１２は、表示要求に係る表示内容（例えばある駅の運行情報表示）を示す利用機能１、線区、窓番号、列車番号、遅延時分、列車の在線位置を示す軌道回路１、軌道回路２、表示装置３０の位置を示す緯度、経度、キロ程、進行方向、表示領域の開始点を示す座標、表示データを強調するためにどれだけ拡大して表示させるかの割合を示す拡大率のデータ項目を有する。拡大率の項目には、列車表示の明滅や色替えを指示する内容を含めてもよい。
【００２７】
図１４は案内履歴一時記憶テーブル７１３の構成例であり、学習ログ登録処理Ｓ６（図１９）の案内履歴取得処理Ｓ５０２、および統計情報登録処理Ｓ５０７で利用される。案内履歴一時記憶テーブル７１３には、日付、曜日、時刻、線区名、駅名、ホーム、利用機能１、利用機能２、発生線区・発生線路、発生区間、方面、発生理由、遅延、ユーザＩＤ、勤務パターン、および役割のデータ項目が記録される。
【００２８】
図１５は表示履歴一時記憶テーブル７１４の構成例であり、学習ログ登録処理Ｓ６（図１９）の表示履歴取得処理Ｓ５０３、優先表示情報利用判定処理Ｓ５０４、優先表示情報利用あり時の優先表示情報抽出条件更新処理Ｓ５０５、優先表示情報利用なし時の優先表示情報抽出条件更新処理Ｓ５０６、および学習ログ登録処理Ｓ５０８で利用される。表示履歴一時記憶テーブル７１４には、ユーザＩＤに対応づけて、日付、曜日、時刻、線区、線区名、駅名、ホーム、利用機能１、利用機能２、窓番号、および列車番号のデータ項目
が記録される。
【００２９】
以上のデータテーブルを設定して利用することにより、本実施形態において、ユーザは表示対象設定などの操作を行う必要はなく、検索・表示要求を受けた処理装置１０が動的に、ユーザにとって優先度の高い情報を抽出することができる。よって、ユーザが特別な操作をすることなく、重要度もしくは優先度の高い情報を瞬時かつ明確に取得することができる。また、統計情報や学習ログを活用することで、抽出条件を改善し、ユーザにとって優先度の高い情報をより正確に抽出することを実現する。
【００３０】
次に、以上説明したデータテーブルを利用して実行される、処理装置１０の処理部１３０によるデータ処理につき、処理フロー例を参照して説明する。まず、処理装置１０によって実行される本実施形態の運行管理情報表示システム１の全体処理について説明する。図１６は運行管理情報表示システム１の全体処理を示すフロー例である。この全体処理は、処理装置１０の処理部１３０を構成する抽出条件設定処理部６０１、表示対象列車抽出処理部６０２、画面表示処理部６０３、および学習ログ登録処理部６０４により実行される。
【００３１】
表示装置３０からの検索・表示要求を受信して処理部１３０が処理を開始すると（Ｓ１）、まず、抽出条件設定処理Ｓ２でユーザにとって重要度の高い情報を抽出する条件を設定し、表示対象列車抽出処理Ｓ３で表示対象列車から優先的に表示する列車を抽出する処理を実行する。次に、表示データ作成処理Ｓ４において、表示対象列車抽出処理Ｓ３の優先表示情報抽出処理Ｓ２０７（後述）で一時記憶した「優先表示情報」から表示データを作成し、画面出力処理Ｓ５において運行管理情報表示システム画面を出力する。抽出条件設定処理Ｓ２は抽出条件処理部６０１、表示対象列車抽出処理Ｓ３は表示対象列車抽出処理部６０２、表示データ作成処理Ｓ４および画面出力処理Ｓ５は、画面表示処理部６０３により実行される。最後に、処理装置１０のシステムログなどから取得される統計情報や案内履歴および表示履歴などからユーザの好み情報を学習する学習ログ登録処理Ｓ６を実行して処理を終了する（Ｓ７）。学習ログ登録処理Ｓ６は学習ログ登録処理部６０４により実行される。
【００３２】
以上の処理装置１０の全体処理に関して、運行管理情報表示システム１の画面は、周期起動またはイベント起動により自動で表示・更新される。また、該システム１のユーザは表示駅や表示パターンなどの設定を行う必要がなく、システムが動的にユーザに最も適した情報を抽出し、拡大・点滅などの表現方法を用いて優先表示することができる。そのためユーザは、ユーザにとって優先度の高い情報の概要を確認する際には検索・拡大などの追加の操作を要しない。
【００３３】
次に、図１６の全体処理フローにおける抽出条件設定処理Ｓ２について説明する。図１７は抽出条件設定処理Ｓ２の処理を示すフロー例であり、処理部１３０の抽出条件設定処理部６０１により実行される。Ｓ１０１で本処理が開始されると、抽出条件設定処理部６０１は、まず、表示端末位置情報受信部１６０から日付・曜日・時刻・ユーザＩＤ・表示端末の現在位置情報などを取得し、記憶部１２０の表示装置位置テーブル７０１を更新する。次に、表示装置位置テーブル７０１の緯度・経度をキーとして、駅テーブル７０３から運行管理情報表示システム画面に表示する駅候補を検索し、表示装置３０の現在位置に近い駅を「表示駅候補」として表示駅候補一時記憶テーブル７０４に一時記憶する（Ｓ１０２）。本実施例では、表示装置位置テーブル７０１の緯度・経度と駅テーブル７０３に記録されている２組の緯度・経度の比較から、表示駅候補として線区Ｐ０１、Ｐ０２に属するＡ駅の３つのホーム及び進行方向が抽出されている。
【００３４】
次に、抽出条件設定処理部６０１は、表示装置位置テーブル７０１のユーザＩＤをキー
として、ユーザ情報テーブル７０５から、勤務パターン・役割などの情報を取得し、「ユーザ情報」としてユーザ情報一時記憶テーブル７０６に一時記憶する（Ｓ１０３）。各ユーザの駅等の所属部署と役割を取得することで、ＧＰＳなどから取得した緯度・経度の情報を補完することができ、より正確な位置を予測することが可能となる。なお、本例ではユーザとして駅務員、乗務員等の鉄道事業者の職員を想定しているが、ユーザが一般の鉄道利用者である場合には、勤務パターン、役割に変えて、ＩＣ定期券に格納されている乗車区間等の情報や、曜日ごとの利用線区に関する情報といったユーザごとのプレファランス情報を登録可能としておけば、同様に位置精度の向上に利用することができる。
【００３５】
さらに、抽出条件設定処理部６０１は、ユーザ情報一時記憶テーブル７０６のユーザＩＤをキーとして、学習テーブル７０７から、当該ユーザの利用履歴を検索する（Ｓ１０４）。過去に該情報を表示した履歴が存在する場合（Ｓ１０４，あり）、学習テーブル７０７から、表示装置位置テーブル７０１の曜日・情報取得時刻、表示駅候補一時記憶テーブル７０４の駅名・ホームをキーとして、ユーザ固有の学習ログを取得し、「優先情報」として優先情報一時記憶テーブル７０８に一時記憶する（Ｓ１０５）。本例ではユーザ情報一時記憶テーブル７０６のユーザＩＤ「Ｕ０１」をキーとして学習テーブル７０７から４つのレコードが取得されている。表示履歴が存在しない場合（Ｓ１０４，なし）、学習テーブル７０７から、表示装置位置テーブル７０１の曜日・情報取得時刻、表示駅候補一時記憶テーブル７０４の駅名・ホーム、および、ユーザ情報一時記憶テーブル７０６の所属・勤務パターン・役割をキーとして、他ユーザの学習ログを取得し、「優先情報」として優先情報一時記憶テーブル７０８に一時記憶する（Ｓ１０６）。このように、検索・表示要求元のユーザによる過去の検索履歴が存在しない場合であっても、同様の曜日、時間帯等の条件における他ユーザの検索履歴を取得することによって、ユーザの要求により近い検索結果が優先的に提供されるように構成することができる。
【００３６】
次に、抽出条件設定処理部６０１は、処理装置１０の入力部１４０から受信する、列車運行管理装置４０の事象情報の有無を判定する（Ｓ１０７）。事象情報が存在する場合（Ｓ１０７，あり）、該事象の発生線区・発生線路・発生区間・方面・発生理由・影響区間・影響機能などの運行情報、および、表示装置位置テーブル７０１の曜日・時間帯をキーとして、統計情報テーブル７０９から過去に同様の事象が発生した際に、ユーザが利用した機能を検索し、優先情報一時記憶テーブル７０８に一時記憶した、「優先情報」の重みづけを変化させる（Ｓ１０８）。本実施例における「優先情報」はユーザの学習ログから取得した、ユーザにとって重要度もしくは優先度の高い情報を指す。本例では、具体的には、ユーザが過去に検索によって表示装置３０に表示させた履歴のある画面に含まれている情報が優先情報であり、図９に例示するように、ユーザＵ０１について、利用回数（当該画面を表示させた回数）が多い順に重み付けがなされている。Ｓ１０７において該当事象がないと判定した場合にはＳ１０８の処理はスキップされる。
【００３７】
次いで、抽出条件設定処理部６０１は、前記処理で一時記憶した、優先情報一時記憶テーブル７０８から、表示対象範囲一時記憶テーブル７１０を作成して処理を終了する（Ｓ１０９，Ｓ１１０）。図１１に例示しているように、表示対象範囲一時記憶テーブル７１０には、優先順位に従って、Ｘ線Ａ駅のＴＩＤ画面が、路線図上の表示すべき領域の開始位置を示す開始座標（Ｘ０１，Ｙ０１）等と特定されることとなる。本処理により、膨大な情報を扱う輸送系業務において、システムが動的に情報を抽出する条件を設定することで、ユーザによる煩雑な設定や操作なしに、ユーザにとって重要度が高いと推定される情報を即座に提供することが可能となる。
【００３８】
次に、図２の全体処理フローにおける表示対象列車抽出処理Ｓ３について説明する。図１８に表示対象列車抽出処理Ｓ３の処理フロー例を示している。表示対象列車抽出処理Ｓ３は、処理部１３０の表示対象列車抽出処理部６０２により実行される。表示対象列車抽
出処理Ｓ３は、優先情報一時記憶テーブル７０８に一時記憶されたデータに対応して表示すべき列車情報を抽出するための処理である。
【００３９】
Ｓ２０１で処理を開始すると、まず、表示対象列車抽出処理部６０２は、駅テーブル７０３から駅名・ホームが、表示駅候補一時記憶テーブル７０４の駅名・ホームと合致するレコードを検索する（Ｓ２０２）。抽出されたレコードが複数の場合、駅テーブル７０３の緯度・経度情報を基に、抽出された駅・ホームが同一もしくは隣接しているかの判定を行い（Ｓ２０３）、抽出された駅・ホームが、表示装置位置から一定の距離以上離れていると判定した場合は（Ｓ２０３，Ｙｅｓ）、該レコードを削除する（Ｓ２０４）。抽出された駅・ホームが、表示装置位置から一定の距離以内にあると判定した場合は（Ｓ２０３，Ｎｏ）、表示対象列車抽出処理部６０２は、Ｓ２０５の処理に移る。
【００４０】
次に、表示対象列車抽出処理部６０２は、在線列車位置テーブル７０２から、在線列車位置テーブルの線区・進行方向が、表示駅一時記憶テーブル７０４に記録されている線区・進行方向に合致するレコードを検索して該当レコードがあるか判定する（Ｓ２０５）。該当レコードがあると判定した場合（Ｓ２０５，Ｙｅｓ）、表示対象列車抽出処理部６０２は、検索したレコードを「表示対象列車」として表示対象列車一時記憶テーブル７１１に一時記憶する（Ｓ２０６の表示対象列車抽出処理）。本例では、表示駅候補一時記憶テーブル７０４における「Ｘ線Ａ駅２番線下り方向」と合致する列車として、図１２の表示対象列車一時記憶テーブル７１１に例示する「２Ｐ３０」列車が抽出されている。表示対象列車抽出処理部６０２は、抽出条件設定処理Ｓ２のＳ１０２で取得した表示装置位置・日付・曜日・時刻をキーとして、Ｓ１０５で取得した優先情報一時記憶テーブル７０８の絞込みを行う。次に、抽出された情報を基に、表示対象列車一時記憶テーブル７１１からユーザにとって優先度の高い情報を動的に抽出し、抽出した情報を「優先表示情報」として優先表示情報一時記憶テーブル７１２に一時記憶して処理を終了する（Ｓ２０７，Ｓ２０８）。図１３の例では、Ｓ２０６で抽出された「２Ｐ３０」列車が優先表示情報一時記憶テーブル７１２の先頭レコードに記録されている。本処理により、表示装置３０の所在駅において優先的に表示すべき列車の情報が表示される。
【００４１】
次に、図１６の全体処理フローにおける表示データ作成処理Ｓ４について説明する。表示データ作成処理Ｓ４は、処理部１３０の画面表示処理部６０３により実行される。画面表示処理部６０３は、図１１に例示する表示対象範囲一時記憶テーブル７１０から、運行管理情報表示システム画面でフォーカス表示する線区・駅名を取得し、該線区の該駅（図１１の例では例えばＡ線Ｘ駅）が中心となるように、運行管理情報表示システム画面の表示データを作成する。次に、画面表示処理部６０３は、図１３に例示する優先表示情報一時記憶テーブル７１２より、ユーザにとって重要度、もしくは、優先度の高い運行情報（図１３の例ではＸ線Ａ駅の運行情報）を取得し、運行管理情報表示システム画面に表示するデータを作成する。列車の詳細情報や設備の状態情報は、入力部９より受信した列車運行管理装置４０の運行管理システム情報により、周期的に更新される。これにより、運行管理システムの情報を、指令室から離れた場所で、ほぼリアルタイムに把握することができ、より適切な旅客案内を実施することで、ダイヤ乱れ時等の分散乗車を促し、遅延による機会損失を軽減することが可能である。
【００４２】
次に、図１６の全体処理フローにおける画面出力処理Ｓ５について説明する。画面出力処理Ｓ５は、画面表示処理部６０３により実行される。画面表示処理部６０３は、表示データ作成処理Ｓ４で作成した表示データを、表示Ｉ／Ｆ部１５０、および通信ネットワーク２０を介して、表示装置３に送信して表示させる。
【００４３】
次に、図１６の全体処理フローにおける学習ログ登録処理Ｓ６について説明する。図１９に学習ログ登録処理Ｓ６の処理フロー例を示している。、学習ログ登録処理Ｓ６は、処
理部１３０の学習ログ登録処理部６０４により実行される。学習ログ登録処理Ｓ６は、ユーザの過去の検索・表示履歴を新たな検索・表示要求に反映してユーザのニーズにより近い検索結果を提供するために行われる。
【００４４】
Ｓ５０１で処理を開始すると、学習ログ登録処理部６０４は、ユーザが乗客への案内に利用した情報を取得し、「案内履歴」として案内履歴一時記憶テーブル７１３に一時記憶する（Ｓ５０２）。図１４に「案内履歴」の記録例を示している。「案内履歴」は、ユーザが実際に乗客へ案内した情報を表示装置３０から入力することにより記録することができる。あるいは、処理装置１０に蓄積されているシステムログの各ユーザに関する操作履歴や表示時間などから実際に案内した情報を推定し、案内履歴一時記憶テーブル７１３に自動登録することも可能である。
【００４５】
次いで、学習ログ登録処理部６０４は、前記処理Ｓ５０２で取得した「案内履歴」のうち、ユーザが選択・拡大などの操作を行い、実際に詳細情報などを確認した情報の表示履歴を取得し、表示履歴一時記憶テーブル７１４に一時記憶する（Ｓ５０３）。図１５の例では、先頭レコードとして、ユーザＵ０１が日曜１０時台に、Ｘ線Ａ駅の１番線で、下り方面の特急列車について表示させたことが記録されている。対応する窓番号は、このとき表示させた画面データのＩＤである。
【００４６】
学習ログ登録処理部６０４は、前記処理Ｓ５０３で取得した表示履歴一時記憶テーブル７１４と優先表示情報一時記憶テーブル７１２を、利用機能および列車番号をキーとして比較し、システムが動的に抽出した優先表示情報が実際に利用されたかの判定を行う（Ｓ５０４）。優先表示情報の利用履歴が存在する場合（Ｓ５０４，あり）、学習ログ登録処理部６０４は、表示履歴一時記憶テーブル７１４の表示時間をキーとして、優先表示情報一時記憶テーブル７１２を降順にソートする。表示時間が長い情報ほど当該ユーザにとって優先度が高い情報であったと推定されるためである。この際、特定ユーザが同一の情報を複数回参照していた場合は、表示履歴一時記憶テーブル７１４の表示時間は事前に合計されることとする。学習ログ登録処理部６０４は、ソートされた優先表示情報一時記憶テーブル７１２を基に、ユーザにとって重要度もしくは優先度が高い情報を動的に抽出する、優先表示情報抽出条件を更新する（Ｓ５０５）。
【００４７】
一方、優先表示情報の利用履歴が存在しない場合は（Ｓ５０４，なし）、学習ログ登録処理部６０４は、表示履歴一時記憶テーブル７１４を表示時間で降順にソートする。その際、Ｓ５０５と同様に、同一の情報を複数回参照していた場合は、表示履歴一時記憶テーブル７１４の表示時間は事前に合計されることとする。学習ログ登録処理部６０４は、ソートされた表示履歴一時記憶テーブル７１４を基に、優先表示情報抽出条件を更新する（Ｓ５０６）。
【００４８】
次に、学習ログ登録処理部６０４は、前記処理Ｓ５０２で取得した、案内履歴一時記憶テーブル７１３の内容を基に、統計情報テーブル７０９を更新する（Ｓ５０７）。具体的には、案内履歴一時記憶テーブル７１３に新たに加入されたレコードの内容を統計情報テーブル７０９に追加する。また、学習ログ登録処理部６０４は、ユーザ情報一時記憶テーブル７０６、および前記処理Ｓ５０３で取得した表示履歴一時記憶テーブル７１４を基に、学習テーブル７０７を更新して処理を終了する（Ｓ５０８，Ｓ５０９）。具体的には、ユーザ情報一時記憶テーブル７０６、および表示履歴一時記憶テーブル７１４に新たに加入されたレコードの内容を学習テーブル７０７に追加する。
【００４９】
本実施形態の学習ログ登録処理においては、運行管理システムから得た大雨・暴風などの天候情報や、種々の運行障害、および、保線作業などのイベント情報、さらに、それに伴って発生した遅延などの運行情報などを事業者の列車運行管理装置４０から自動取得し
た上で、情報抽出条件の精度を高めることが可能である。また、実際の案内履歴とシステムが動的に抽出した情報とを比較することで、各ユーザの好みを学習し、ユーザにとって優先度の高い情報を抽出する条件を改善していくことが可能である。このような学習機能によって、よりユーザにとって重要度の高い情報を優先的に表示することが可能となる。
【００５０】
図２０に表示装置３０の表示画面例を示している。図２０の例は、本実施形態のシステム１により、検索・表示要求を出しているユーザがＸ線Ａ駅の１番線にいることが特定され、過去の検索履歴から２Ｐ３０列車の情報を優先的に表示すべきであると判定された場合を示している。このように、例えばユーザがいる駅を中心として、優先情報にかかる列車に関する情報を例えば拡大して表示することが可能となる。当該情報は、表示を明滅させる、表示色を変更するなどの任意の手法で視覚的に強調することができる。
【００５１】
以上説明したように、本実施形態の列車運行管理情報表示システム１によれば、情報端末の位置、および、曜日・時間・線区・目的などの利用条件に応じて、動的に情報を抽出し、ユーザにとって重要度の高い情報を優先表示することで、ユーザが迅速な判断を行えるようにサポートすることができる。また、統計情報、および、ユーザが実際に活用した情報である学習ログを蓄積・活用することにより、情報の抽出条件を改善することができ、利用するごとに、より正確にユーザにとって優先度の高い情報を抽出することが可能となる。
【００５２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００５３】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、また
は、ＩＣカード、ＳＤカード、ＤＶＤ等の記録媒体に置くことができる。
【符号の説明】
【００５４】
１  列車管理情報表示システム
１０  処理装置
２０  通信ネットワーク
３０  表示装置
４０  列車運行管理装置
１００  プロセッサ
１１０  メモリ
１２０  記憶部
１３０  処理部
１４０  入力部
１５０  表示インタフェース部
１６０  表示端末位置情報受信部
１７０  列車位置情報受信部
６０１  抽出条件設定処理部
６０２  表示対象列車抽出処理部
６０３  画面表示処理部
６０４  学習ログ登録処理部
７０１  表示装置位置テーブル
７０２  在線列車位置テーブル
７０３  駅テーブル
７０４  表示駅候補一時記憶テーブル
７０５  ユーザ情報テーブル
７０６  ユーザ情報一時記憶テーブル
７０７  学習テーブル
７０８  優先情報一時記憶テーブル
７０９  統計情報テーブル
７１０  表示対象範囲一時記憶テーブル
７１１  表示対象列車一時記憶テーブル
７１２  優先表示情報一時記憶テーブル
７１３  案内履歴一時記憶テーブル
７１４  表示履歴一時記憶テーブル
【図１】
2016130085.tif 000003
【図２】
2016130085.tif 000004
【図３】
2016130085.tif 000005
【図４】
2016130085.tif 000006
【図５】
2016130085.tif 000007
【図６】
2016130085.tif 000008
【図７】
2016130085.tif 000009
【図８】
2016130085.tif 000010
【図９】
2016130085.tif 000011
【図１０】
2016130085.tif 000012
【図１１】
2016130085.tif 000013
【図１２】
2016130085.tif 000014
【図１３】
2016130085.tif 000015
【図１４】
2016130085.tif 000016
【図１５】
2016130085.tif 000017
【図１６】
2016130085.tif 000018
【図１７】
2016130085.tif 000019
【図１８】
2016130085.tif 000020
【図１９】
2016130085.tif 000021
【図２０】
2016130085.tif 000022